(57)【要約】      （修正有）【課題】室内全体をバランスよく一様に温調可能で、しかも温調パイプと室内温度の温度差を小さくして結露の発生を抑制でき、熱交換媒体の流通経路におけるエネルギーロスを少なくし得る室内温調システムを提供する。【解決手段】遠赤外線を放射吸収可能な無機物質からなる温調面を有する温調装置２と、遠赤外線を放射吸収可能な無機物質からなる放射吸収面４０ａを有する室内面構成部材４０とを備えた室内温調システム１であって、温調装置２として、間隔をあけて配置した１対のタンク１０、１１と、遠赤外線を放射吸収可能な無機物質で外周面を被覆した温調面を有し、両端部が両タンク１０、１１に連通するように、両タンク１０、１１間に複数本並列状に配置した温調パイプ１３と、両タンク１０、１１と温調パイプ１３内に充填した温調媒体と、温調媒体を温調する温調手段としての室外機４とを備えた。【選択図】図１
2015094498.tif 000002
【特許請求の範囲】
【請求項１】
遠赤外線を放射吸収可能な無機物質からなる温調面を有する温調装置と、遠赤外線を放射吸収可能な無機物質からなる放射吸収面を有する室内面構成部材とを備え、温調面と放射吸収面間における遠赤外線共鳴現象により、前記温調装置による温調面の加熱時には、温調面から放射される遠赤外線を放射吸収面で吸収し、前記温調装置による温調面の冷却時には、放射吸収面から放射される遠赤外線を温調面で吸収するようになした室内温調システムであって、
前記温調装置として、間隔をあけて配置した１対のタンクと、遠赤外線を放射吸収可能な無機物質で外周面を被覆した温調面を有し、両端部が両タンクに連通するように、前記両タンク間に複数本並列状に配置した温調パイプと、前記両タンクと温調パイプ内に充填した温調媒体と、前記温調媒体を温調する温調手段とを備えた、
ことを特徴とする室内温調システム。
【請求項２】
前記温調手段として、前記１対のタンクの少なくとも一方に内装したヒートパイプであって、作動液を減圧封入した外パイプと、前記作動液に浸漬した下部パイプ及び作動液よりも上方位置に配置した上部パイプからなる内パイプとを有するヒートパイプと、前記内パイプへ供給する熱交換媒体を加熱又は冷却する熱源手段とを備えたものを用いた請求項１記載の室内温調システム。
【請求項３】
前記温調パイプをアルミ合金材で構成し、該温調パイプの表面に遠赤外線を放射吸収する無機質物質からなる酸化被膜を形成し、前記酸化被膜で温調面を構成した請求項１又は２記載の室内温調システム。
【請求項４】
前記温調面に、抗菌性のある光触媒物質を含む機能層を形成した請求項１〜３のいずれか１項記載の室内温調システム。
【請求項５】
前記温調パイプに、金属材料の熱交換フィンを取り付けた請求項１〜４のいずれか１項記載の室内温調システム。
【請求項６】
前記温調パイプ周辺の空気を移動させる送風機を設けた請求項１〜５のいずれか１項記載の室内温調システム。
【請求項７】
前記温調面と放射吸収面とを対面配置した請求項１〜６のいずれか１項記載の室内温調システム。
【請求項８】
前記室内面構成部材が、遠赤外線を放射吸収する無機質物質からなる酸化被膜を形成したアルミ合金からなるパネル材、または該アルミ合金のパネル材の表面に調湿作用を有する珪素土と抗菌性のある光触媒物質を含む機能層を形成したパネル材を備えた請求項１〜７のいずれか１項記載の室内温調システム。
【請求項９】
前記室内面構成部材により、隣接し合う第１の部屋と第２の部屋間の隔壁の両面を構成し、前記隔壁両面の室内面構成部材が遠赤外線共鳴現象を起こすように構成した請求項１〜８のいずれか１項記載の室内温調システム。
【請求項１０】
前記室内面構成部材により、環境調整する室内の壁面と天井面と床面のうちのいずれかの面の少なくとも一部を構成した請求項１〜９のいずれか１項記載の室内温調システム。
【発明の詳細な説明】
【技術分野】
【０００１】
本発明は、室内温調システムに関するものである。
【背景技術】
【０００２】
室温の調整方法として、エアー・コンディショナーやファンヒータなどのように、加熱または冷却した空気を送風する方法や、石油ストーブやオイルヒータや床暖房システムなどのように対流による方法や、セラミックスヒータや遠赤外線ヒータのように放射（輻射）を利用した方法が知られている。
【０００３】
一方、遠赤外線を利用した空調システムとして、遠赤外線を放射・吸収可能な遠赤外線放射物質を含む材料で構成された室内面構成部材と、室内面構成部材の遠赤外線放射物質と同一の遠赤外線放射物質を含む材料で構成された、冷却面を有する冷却源及び加熱面を有する加熱源とを具備し、冷却面が冷却されると、室内面構成部材が放射する遠赤外線を冷却面で吸収し、加熱面が加熱されると、加熱面が放射する遠赤外線を室内面構成部材で吸収するようになした空調システムも提案されている（例えば、特許文献１参照。）。
【先行技術文献】
【特許文献】
【０００４】
【特許文献１】特開２０１０−９６４８５号公報
【発明の概要】
【発明が解決しようとする課題】
【０００５】
ところで、特許文献１記載の発明では、加熱源として電気加熱ヒータを用いており、加熱源をホットカーペットなどで構成することで、床面を利用して加熱面を形成でき、室内空間全体を一様に効率良く温めることができる。しかし、冷却源としては、一般的な空調装置や冷蔵庫に利用されているものと同様に、冷媒を用いて冷却面を冷却する冷媒冷却装置を設けており、冷却面と室内空間との温度差がどうしても大きくなることから、冷却面周辺のみが冷やされ、室内空間全体を一様に冷やすことが困難であるとともに、冷却面において結露が発生し易くなるという問題があった。
【０００６】
また、冷媒冷却装置で冷却面を直接的に冷却する場合には、フィン等を設けて冷却効率を高めているが、それだけでは十分に冷却効率を高めることが困難で、冷媒の流量がどうしても多くなることから、冷媒冷却装置の室内機と室外機間における冷媒の配管が太くなり、冷媒の流通途中におけるエネルギーロスが大きくなるという問題がある。
【０００７】
更に、室内面構成部材の遠赤外線物質と、冷却面及び加熱面の遠赤外線物質とを同一の材料で構成する必要があるので、建物側及び空調システム側の設計自由度が大幅に制約されるという問題もある。
【０００８】
本発明の目的は、室内全体をバランスよく一様に温調可能で、しかも温調パイプと室内温度の温度差を小さくして結露の発生を抑制でき、熱交換媒体の流通経路におけるエネルギーロスを少なくし得る室内温調システムを提供することである。
【課題を解決するための手段】
【０００９】
本発明に係る室内温調システムは、遠赤外線を放射吸収可能な無機物質からなる温調面を有する温調装置と、遠赤外線を放射吸収可能な無機物質からなる放射吸収面を有する室内面構成部材とを備え、温調面と放射吸収面間における遠赤外線共鳴現象により、前記温調装置による温調面の加熱時には、温調面から放射される遠赤外線を放射吸収面で吸収し、前記温調装置による温調面の冷却時には、放射吸収面から放射される遠赤外線を温調面で吸収するようになした室内温調システムであって、前記温調装置として、間隔をあけて配置した１対のタンクと、遠赤外線を放射吸収可能な無機物質で外周面を被覆した温調面を有し、両端部が両タンクに連通するように、前記両タンク間に複数本並列状に配置した温調パイプと、前記両タンクと温調パイプ内に充填した温調媒体と、前記温調媒体を温調する温調手段とを備えたものを用いたものである。
【００１０】
この室内温調システムでは、温調装置の温調面が加熱されると、温調面から遠赤外線が放射され、該遠赤外線を受けた室内面構成部材の放射吸収面が温められ、該室内面構成部材の温度が高くなると、該室内面構成部材の放射吸収面から遠赤外線が放射され、該遠赤外線を受けた他の室内面構成部材が温められるという遠赤外線共鳴現象により、室内が一様に温められるとともに、室内面構成部材から放射される遠赤外線により、室内に居る人の体が温められることになる。一方、温調装置により温調面が冷却されると、室内面構成部材の放射吸収面から放射された遠赤外線が温調面で吸収され、該室内面構成部材の放射吸収面の温度が低下し、該室内面構成部材の放射吸収面が他の室内面構成部材から放射される遠赤外線を吸収するという遠赤外線共鳴現象により、室内が一様に冷やされることになる。
【００１１】
また、温調装置として、間隔をあけて配置した１対のタンクと、外周面に遠赤外線を放射吸収可能な無機物質で被覆した温調面を有し、両端部が両タンクに連通するように、前記両タンク間に複数本並列状に配置した温調パイプと、前記両タンクと温調パイプ内に充填した温調媒体と、前記温調媒体を温調する温調手段とを備えたものを用いているので、加熱手段や冷却手段により直接的に温調面を加熱したり冷却したりする場合と比較して、室内温度と温調面間の温度差を小さくして、加熱時には、温調面に触れることによる火傷を防止でき、冷却時には、温調面における結露の発生を抑制乃至防止できる。また、温調パイプを用いることで温調面の面積を広く設定しつつ、両タンク内と温調パイプ内とに充填した温調媒体の対流により、温調面の全面を一様な温度に温調することが可能となる。
【００１２】
ここで、前記温調手段として、前記１対のタンクの少なくとも一方に内装したヒートパイプであって、作動液を減圧封入した外パイプと、前記作動液に浸漬した下部パイプ及び作動液よりも上方位置に配置した上部パイプからなる内パイプとを有するヒートパイプと、前記内パイプへ供給する熱交換媒体を加熱又は冷却する熱源手段とを備えたものを用いることが好ましい実施の形態である。この温調手段により温調媒体を加熱する場合には、熱源手段から加熱した熱交換媒体を例えば下部パイプに供給することになる。すると作動液が下部パイプ周辺の熱を吸収して蒸発し、蒸気流となって外パイプの上部内壁へ移動し、蒸気はそこで冷却され凝縮する。そして凝縮した作動液は重力によって外パイプの底部側へ戻され、蒸発→移動→凝縮を繰り返しながら熱が連続的に外パイプから温調媒体へ供給されることになる。一方、下部パイプを通過した熱交換媒体は、作動液よりも上側に配置される上部パイプへ供給される。その上部パイプ内の熱交換媒体は、外パイプの上部内壁部に残存する蒸気流の温度により、降温が妨げられた状態で、上部パイプの基端部側（外パイプの基端部側）へ戻されることになる。このことで戻り側の熱交換媒体は、ヒートパイプの外部に戻りパイプを設けた方式と比べ、不要な降温が防止されながら、外パイプの基端部側へ戻されることになる。このように下部パイプと上部パイプとを外パイプ内に配置させるので、下部パイプへの熱交換媒体の供給と上部パイプからの熱交換媒体の排出を外パイプの基端部側で行うことが可能となり、ヒートパイプへの配管を簡略に構成できる。しかも、下部パイプ内の熱交換媒体の温度は、外パイプの先端側（上部パイプ側）へ行くにしたがって低下するが、上部パイプ内の熱交換媒体は外パイプの基端部側へ行くにしたがって低下するので、外パイプの長さ方向の各部における作動液の蒸気温度を一様に設定することが可能となり、作動液により温調媒体を一様に加熱することが可能となる。一方、この温調手段により温調媒体を冷却する場合には、熱源手段から冷却した熱交換媒体を例えば下部パイプに供給することになる。このとき、外パイプ内の作動液は、外気温度により一部又は全部が蒸気になっていることから、該作動液の蒸気が下部パイプ及び上部パイプで冷やされて凝縮して、外パイプ内における蒸気圧が低下し、作動液が外パイプの熱で加熱されて蒸発し、外パイプが順次冷却されることになる。このように、ヒートパイプを用いると、熱交換媒体により作動液を介して効率的に温調媒体を温調でき、ヒートパイプへの熱交換媒体の供給量を少なくできるので、熱交換媒体の配管を小径に構成して、熱交換媒体の流通途中におけるエネルギーロスを極力少なくすることができる。
【００１３】
前記温調パイプをアルミ合金材で構成し、該温調パイプの表面に遠赤外線を放射吸収する無機質物質からなる酸化被膜を形成し、前記酸化被膜で温調面を構成することが好ましい実施の形態である。この場合には、温調パイプの製作コストが高くなることを抑制しつつ、温調パイプの外周面に遠赤外線を放射吸収する酸化被膜を形成することができる。
【００１４】
前記温調面に、抗菌性のある光触媒物質を含む機能層を形成することも好ましい実施の形態である。このように構成することで、温調面において結露が発生した場合でも、雑菌やカビの繁殖を抑制できる。また、機能層により臭い物質を分解することも可能なので、室内環境を向上できる。
【００１５】
前記温調パイプに、金属材料の熱交換フィンを取り付けたり、前記温調パイプ周辺の空気を移動させる送風機を設けたりすることも、好ましい実施の形態である。このように構成することで、室内空間を所望温度に調整するまでの時間を短縮できる。
【００１６】
前記温調面と放射吸収面とを対面配置することが好ましい実施の形態である。このように構成すると、温調面と放射吸収面間における遠赤外線共鳴現象を促進することができる。
【００１７】
前記室内面構成部材が、遠赤外線を放射吸収する無機質物質からなる酸化被膜を形成したアルミ合金からなるパネル材、または該アルミ合金のパネル材の表面に調湿作用を有する珪素土と抗菌性のある光触媒物質を含む機能層を形成したパネル材を備えることが好ましい実施の形態である。このようなパネル材を用いると、既存の建築物に対しても容易に室内面構成部材を設けることができる。また、機能層により、湿気を吸収したり、雑菌やカビの繁殖を抑制したり、臭い物質を分解したりできるので、室内環境を向上できる。
【００１８】
前記室内面構成部材により、隣接し合う第１の部屋と第２の部屋間の隔壁の両面を構成し、前記隔壁両面の室内面構成部材が遠赤外線共鳴現象を起こすように構成することもできる。このように構成すると、第１の部屋にのみ温調面を設置するだけで、隣接する第２の部屋に関しても、第１の部屋との隔壁の両面を構成する室内面構成部材を通じて温調することができる。
【００１９】
前記室内面構成部材により、環境調整する室内の壁面と天井面と床面のうちのいずれかの面の少なくとも一部を構成することができる。
なお、前記課題を解決するための手段に記載の構成は、任意に組み合わせて室内温調システムを構成することができる。
【発明の効果】
【００２０】
本発明に係る室内温調システムによれば、温調面と放射吸収面間や、放射吸収面同士間における遠赤外線共鳴現象により、室内を温調することができる。しかも、温調装置として、間隔をあけて配置した１対のタンクと、外周面に遠赤外線を放射吸収可能な無機物質で被覆した温調面を有し、両端部が両タンクに連通するように、前記両タンク間に複数本並列状に配置した温調パイプと、前記両タンクと温調パイプ内に充填した温調媒体と、前記温調媒体を温調する温調手段とを備えたものを用いているので、加熱手段や冷却手段により直接的に温調面を加熱したり冷却したりする場合と比較して、室内温度と温調面間の温度差を小さくして、加熱時には、温調面に触れることによる火傷を防止でき、冷却時には、温調面における結露の発生を抑制乃至防止できる。また、温調パイプを用いることで温調面の面積を広く設定しつつ、両タンク内と温調パイプ内とに充填した温調媒体の対流により、温調面の全面を一様な温度に温調することが可能となる。
【図面の簡単な説明】
【００２１】
【図１】室内温調システムの全体構成図
【図２】温調装置の斜視図
【図３】図２のIII-III線断面図
【図４】図２のIV-IV線断面図
【図５】温調パイプの横断面図
【図６】他の構成の温調パイプの要部正面図
【図７】ヒートパイプの縦断面図
【図８】図７のVIII-VIII線断面図
【図９】（ａ）は室内面構成部材の縦断面図、（ｂ）は他の構成の室内面構成部材の縦断面図
【図１０】隣接する部屋を区画する隔壁の縦断面図
【発明を実施するための形態】
【００２２】
以下、本発明を実施するための形態について、図面を参照しながら説明する。
図１、図２に示すように、室内温調システム１は、遠赤外線を放射吸収可能な無機物質からなる温調面１３ａを有する温調装置２と、遠赤外線を放射吸収可能な無機物質からなる放射吸収面４０ａを有する室内面構成部材４０とを備え、温調面１３ａと放射吸収面４０ａ間や、放射吸収面４０ａ同士間における遠赤外線共鳴現象により、室内を暖房状態と冷房状態とに温調可能に構成したものである。
【００２３】
（温調装置）
温調装置２は、図１〜図８に示すように、室内に設置される室内機３と、室外に設置される温調手段としての室外機４と、室内機３と室外機４間において熱交換媒体５を循環供給するための配管６と、室内温度を設定するためのコントローラ７とを備えている。
【００２４】
室内機３は、上下に間隔をあけて配置した上部タンク１０及び下部タンク１１と、外周面に遠赤外線を放射吸収可能な無機物質で被覆した温調面１３ａを有し、両端部が上部タンク１０と下部タンク１１とに連通するように、上部タンク１０と下部タンク１１間に縦向きに、複数本並列状に配置した温調パイプ１３と、上部タンク１０及び下部タンク１１と温調パイプ１３内に充填した温調媒体１４と、上部タンク１０及び下部タンク１１に内装したヒートパイプ２０と、温調パイプ１３へ向けて後方から室内空気を送風する送風手段３０とを備えている。
【００２５】
上部タンク１０と下部タンク１１とは左右方向に細長い角筒状のタンクで構成され、上部タンク１０と下部タンク１１とは左右１対の側部フレーム１５で連結され、上部タンク１０は左右の側部フレーム１５を介して下部タンク１１の上側に一定間隔をあけて支持されている。上部タンク１０と下部タンク１１間には複数本の温調パイプ１３が左右に間隔をあけて並列状に配置されるとともに前後に２列配置され、温調パイプ１３の上下両端部は上部タンク１０と下部タンク１１とにそれぞれ連通されている。下部タンク１１の上面の前後両側縁には左右方向に延びる立起壁１６が上方へ突出状に形成され、下部タンク１１の上側には結露水を排出するための左右方向に延びる排水通路１７が形成され、結露水は排水通路１７の一端部から外部へ排出されるように構成されている。なお、温調パイプ１３の本数や配列は任意に設定可能である。また、本実施の形態では室内機３を縦向きに配置したが、図１に仮想線で示すように天井や床面に沿って水平に配置することも可能で、この場合には、両タンクは水平面内に間隔をあけて配置することになる。
【００２６】
図５に示すように、温調パイプ１３は横断面円形のパイプで構成され、温調パイプ１３の外周面には遠赤外線を放射吸収可能な無機物質を被覆してなる温調面１３ａがその全面にわたって形成されている。温調パイプ１３を構成する素材としては、熱伝導性の高い素材が好ましく、例えば、鉄、アルミニウム、ステンレス、銅などの金属、セラミックや合成樹脂材料からなるものを採用できる。温調面１３ａを構成する無機物質としては、遠赤外線を効率良く放射吸収可能なものであれば任意の素材からなるものを採用でき、活性炭などの炭化物、ケイ素やアルミナなどのセラミックス、トルマリンやゼオライトやセピオライトなどの鉱物、アルミニウムやチタンやジルコニウムなどの金属酸化物などを採用できる。特に、温調パイプ１３をアルミニウム合金で構成し、その表面にアルミニウム合金の酸化被膜からなる温調面１３ａを形成すると、温調パイプ１３の製作コストを安くできるので好ましい。また、温調面１３ａの表面に、酸化チタンなどの抗菌性のある光触媒物質を含む機能層を形成することも好ましい。この場合には、機能層により、温調パイプ１３の表面における雑菌やカビの繁殖を抑制したり、室内空間の臭い物質を分解したりして、室内環境を向上できる。
【００２７】
温調パイプ１３の横断面形状は、円形に形成したが、４角形や６角形や８角形などの多角形状に形成してもよい。また、温調パイプ１３の外周面に突起やフィンなどからなる放熱部を形成することも好ましく、またこの放熱部を遠赤外線を放射吸収可能な無機物質で被覆することも好ましい。例えば、図６に示すように、外方へ突出する螺旋状の熱交換フィン１８を全長にわたって設け、その表面を、遠赤外線を放射吸収可能な無機物質で被覆することが好ましい。更に、上部タンク１０及び下部タンク１１を、温調パイプ１３と同じ素材で構成して、その外面を、遠赤外線を放射吸収可能な無機物質で被覆することも好ましい。
【００２８】
上部タンク１０と下部タンク１１と温調パイプ１３とに充填される温調媒体１４としては、水、油などの液体を採用することができる。
【００２９】
送風手段３０は、縦向きに並列配置した温調パイプ１３の後方全体を覆うように室内機３の後部に設けた後部カバー３１と、後部カバー３１の中央部に配置した送風機３２とを備えている。後部カバー３１は後方へ行くにしたがって縦断面積が小さくなるように構成した四角錐状に形成され、後部カバー３１の後端部には送風機３２が設けられ、送風機３２のモータを駆動すると、室内機３の後方の室内空気が、室内機３内に導入されて、温調パイプ１３に向けて吹き出されるように構成されている。ただし、送風手段３０は、温調パイプ１３に向けて室内空気を放出可能なものであれば任意の構成のものを採用することができる。なお、送風手段３０は、室内温度の上昇を促進するために設けたが、省略することも可能である。
【００３０】
図３、図７、図８に示すように、ヒートパイプ２０は、上部タンク１０と下部タンク１１の略全長にわたってそれぞれ設けられ、作動液２１を減圧封入した外パイプ２２と、外パイプ２２の内側に配置した内パイプ２３であって、作動液２１に浸漬した下部パイプ２４と、作動液２１よりも上方位置に配置した上部パイプ２５と、下部パイプ２４と上部パイプ２５の先端部を連通するＵ字管からなる連通パイプ２６となる内パイプ２３とを有している。下側のヒートパイプ２０の下部パイプ２４と上部パイプ２５は、上部タンク１０の側方位置まで延設され、下側のヒートパイプ２０の下部パイプ２４は上側のヒートパイプ２０の下部パイプ２４に接続されている。室外機４から供給された熱交換媒体５は、上側のヒートパイプ２０の上部パイプ２５と、上側のヒートパイプ２０の下部パイプ２４と、下側のヒートパイプ２０の下部パイプ２４と、下側のヒートパイプ２０の上部パイプ２５とを順次経て室外機４に戻され、室外機４により上下のヒートパイプ２０へ循環供給される。なお、上側のヒートパイプ２０と下側のヒートパイプ２０とのパイプの接続形態は、前記以外の接続形態でもよい。また、上下のヒートパイプ２０を室外機４に対して直列状に接続したが、並列状に接続することも可能である。
【００３１】
このヒートパイプ２０では、下部パイプ２４と上部パイプ２５とを外パイプ２２内に配置させているので、下部パイプ２４への熱交換媒体５の供給と上部パイプ２５からの熱交換媒体５の排出を外パイプ２２の基端部側で行うことが可能となり、ヒートパイプ２０への配管６を簡略に構成できる。
【００３２】
内パイプ２３と外パイプ２２とは、熱伝導性が高い材質で構成することが好ましく、例えば、鉄、アルミニウム、ステンレス、銅などの金属、セラミックや合成樹脂材料などが挙げられるが、これらに限定はされない。また、配管６は、折り曲げ可能な材料で構成することが好ましく、鉄、アルミニウム、ステンレス、銅などの金属、軟質な合成樹脂材料などで構成できる。この配管６は、熱交換媒体５の循環供給途中におけるエネルギーロスを極力少なくするため、断熱材で被覆することが好ましい。
【００３３】
作動液２１としては、揮発性の液体を採用でき、例えば、アンモニア、プロパン、ブタン、アルコール、多価アルコール、変性アルコール、イソブチルアルコールの混合物、アセトン、プロプレングリコールモノブチルアセテート等を採用することができる。特に、メチルアルコールは、安価に入手でき、取り扱いが容易なので好ましい。
【００３４】
（室外機）
室外機４は、室内機３のヒートパイプ２０へ循環供給する熱交換媒体５を加熱したり冷却したりする熱源手段３５を備えている。
【００３５】
熱源手段３５は、ヒートパイプ２０へ供給する熱交換媒体５を加熱冷却可能なものであれば任意の構成のものを採用することができ、例えば周知の構成のヒートポンプで構成することができる。この熱源手段３５により、熱交換媒体５を、暖房時には例えば５５℃に加熱し、冷房時には６℃に冷却することになる。ただし、加熱温度及び冷却温度は熱交換媒体５の沸点以下で凝固点以上であれば任意の温度に設定できる。
【００３６】
熱源手段３５からヒートパイプ２０へ循環供給される熱交換媒体５としては、水、油などの液体採用することができる。
【００３７】
（コントローラ）
コントローラ７は、室内温度を設定のための入力手段と、室内温度を測定する温度センサと、熱源手段３５及び送風機３２を制御する制御手段などを備えたもので、制御手段により、室内温度が予め設定した設定温度となるように、室外機４を制御するように構成されている。例えば、コントローラ７にて予め設定した設定温度を中心とした一定範囲（例えば±２℃）の温度領域内に、室内温度がなったときに、熱源手段３５及び送風機３２を停止し、該温度領域外になったときに熱源手段３５及び送風機３２を作動させることになる。
【００３８】
この温調装置２により、温調面１３ａを加熱する場合には、熱源手段３５から加熱した熱交換媒体５を上下のヒートパイプ２０に循環供給する。するとヒートパイプ２０の外パイプ２２内の作動液２１が下部パイプ２４周辺の熱を吸収して蒸発し、蒸発した作動液２１は上部パイプ２５内の熱交換媒体５により更に温められ、蒸気流となって外パイプ２２の上部内壁へ移動し、蒸気はそこで冷却され凝縮する。そして凝縮した作動液２１は重力によって外パイプ２２の底部側へ戻され、蒸発→移動→凝縮を繰り返しながら熱が連続的に外パイプ２２から温調媒体１４へ供給され、温調媒体１４により温調面１３ａが加熱されることになる。また、このとき、下部パイプ２４内の熱交換媒体５の温度は、下流側へ行くにしたがって低下するが、上部パイプ２５内の熱交換媒体５は下部パイプ２４の上流側へ行くにしたがって低下するので、外パイプ２２の長さ方向の各部における作動液２１の蒸気温度を一様に設定することが可能となり、作動液２１により温調媒体１４を一様に加熱することが可能となる。
【００３９】
一方、温調面１３ａを冷却する場合には、熱源手段３５から冷却した熱交換媒体５を上下のヒートパイプ２０に循環供給することになる。温調面１３ａを冷却する場合、つまり室内温度が高い場合には、外パイプ２２内の作動液２１は、温調媒体１４からの熱により一部又は全部が蒸気になっていることから、この状態で、内パイプ２３に冷却した熱交換媒体５が供給されると、外パイプ２２内の作動液２１の蒸気が下部パイプ２４及び上部パイプ２５で冷やされて凝縮し、熱交換媒体５の温度が上昇する。一方、外パイプ２２内における蒸気圧が低下し、温調媒体１４の熱で外パイプ２２内の作動液２１が加熱されて蒸発し、外パイプ２２の熱が作動液２１に奪われて、外パイプ２２の温度が低下し、これにより温調媒体１４が冷却されて温調面１３ａが順次冷却されることになる。
【００４０】
この温調装置２では、温調媒体１４を介して温調面１３ａを温調するので、加熱手段や冷却手段により直接的に温調面１３ａを加熱したり冷却したりする場合と比較して、室内温度と温調面１３ａ間の温度差を小さくして、加熱時には、温調面１３ａに触れることによる火傷を防止でき、冷却時には、温調面１３ａにおける結露の発生を抑制乃至防止できる。また、温調パイプ１３を用いることで温調面１３ａの面積を広く設定しつつ、両タンク内と温調パイプ１３内とに充填した温調媒体１４の対流により、温調面１３ａの全面を一様な温度に温調することが可能となる。更に、ヒートパイプ２０を用いて温調媒体１４を加熱冷却して温調面１３ａを温調するので、熱交換媒体５により作動液２１を介して効率的に温調媒体１４を温調でき、ヒートパイプ２０への熱交換媒体５の供給量を少なくできるので、熱交換媒体５の配管６を小径に構成して、熱交換媒体５の流通途中におけるエネルギーロスを極力少なくすることができる。
【００４１】
なお、温調装置２では、温調媒体１４の自然対流を利用して、複数の温調パイプ１３の全体を一様な温度となるように温調することになるが、１乃至複数の温調パイプ１３内にモータにて回転駆動されるスクリュー等を配置したり、ポンプ等を設けたりして、温調媒体１４を強制的に循環させて、複数の温調パイプ１３が一様に温調させるように構成することも可能である。また、複数の温調パイプ１３内の温調媒体１４に温度差が形成されるように構成して、該温度差を利用して温調媒体が円滑に自然循環するように構成することも可能である。例えば、前側に配置される複数の温調パイプ１３の直上位置及び直下位置にヒートパイプ２０を配置させ、前側の温調パイプ１３内の温調媒体１４と後側の温調パイプ１３内の温調媒体１４に温度差が形成されるように構成して、暖房時には、前側の温調パイプ１３に上側へ向かう温調媒体１４の対流を形成し、後側の温調パイプ１３に下側へ向かう温調媒体１４の対流を形成し、冷房時には、前側の温調パイプ１３に下側へ向かう温調媒体１４の対流を形成し、後側の温調パイプ１３に上側へ向かう温調媒体１４の対流を形成することも好ましい。
【００４２】
（室内面構成部材）
室内面構成部材４０とは、室内面を構成する部材のことであり、天井材、床材、壁材、扉、襖、障子、階段などの内装建材４１や、内装建材４１の表面を被覆する被覆建材４２のことで、本発明では、内装建材４１を、遠赤外線を放射吸収可能な無機物質で構成したり、被覆建材４２を、遠赤外線を放射吸収可能な無機物質で構成したりして、遠赤外線を放射吸収可能な放射吸収面４０ａを形成することになる。なお、室内面構成部材４０は、少なくとも室内機３に対面する位置に設けることが好ましい。
【００４３】
遠赤外線を放射吸収可能な無機物質としては、活性炭などの炭化物、ケイ素やアルミナなどのセラミックス、トルマリンやゼオライトやセピオライトなどの鉱物、アルミニウムやチタンやジルコニウムなどの金属酸化物などを採用できる。また、室内環境を向上するため、銀イオンや銅イオンなどの抗菌物質を添加したり、消臭などのため酸化チタンなどの光触媒物質を添加したり、調湿のため珪素土を添加したりすることができる。
【００４４】
例えば、図９（ａ）に示す室内面構成部材４０のように、表面に遠赤外線を放射吸収可能な酸化被膜４３ａを形成した、アルミニウム合金製のパネル材４３を建築物の内装建材４１の表面に接着剤やボルトなどにより固定して、遠赤外線を放射吸収可能な放射吸収面４０ａを有する被覆建材４２を構成することができる。また、図９（ｂ）に示す室内面構成部材４０のように、アルミニウム合金製のパネル材４４を建築物の内装建材４１の表面に接着剤やボルトなどにより固定して、該パネル材４４の表面に、遠赤外線を放射吸収可能な珪素土と、酸化チタンなどの抗菌性のある光触媒物質とを含む機能層４５を形成して、遠赤外線を放射吸収可能な放射吸収面４０ａを有する被覆建材４２を構成することもできる。更に、図９（ｃ）に示す室内面構成部材４０のように、建築物の内装建材４１の表面に、遠赤外線を放射吸収可能な珪素土と、酸化チタンなどの抗菌性のある光触媒物質とを含む機能層４６を形成して、遠赤外線を放射吸収可能な放射吸収面４０ａを有する被覆建材４２を構成することもできる。更にまた、壁紙として、遠赤外線を放射吸収可能な無機物質を添加したものを用いて、遠赤外線を放射吸収可能な放射吸収面４０ａを有する被覆建材４２を構成することもできる。
【００４５】
この室内温調システム１では、温調装置２の温調面１３ａが加熱されると、温調面１３ａから遠赤外線が放射され、該遠赤外線を受けた室内面構成部材４０の放射吸収面４０ａが温められ、該室内面構成部材４０の温度が高くなると、該室内面構成部材４０の放射吸収面４０ａから遠赤外線が放射され、該遠赤外線を受けた他の室内面構成部材４０が温められるという遠赤外線共鳴現象により、室内が一様に温められるとともに、室内面構成部材４０から放射される遠赤外線により、室内に居る人の体が温められることになる。一方、温調装置２により温調面１３ａが冷却されると、室内面構成部材４０の放射吸収面４０ａから放射された遠赤外線が温調面１３ａで吸収され、該室内面構成部材４０の放射吸収面４０ａの温度が低下し、該室内面構成部材４０の放射吸収面４０ａが他の室内面構成部材４０から放射される遠赤外線を吸収するという遠赤外線共鳴現象により、室内が一様に冷やされることになる。
【００４６】
なお、図１０に示すように、隣接し合う第１の部屋５０と第２の部屋５１間の隔壁５２においては、遠赤外線を放射吸収可能な放射吸収面４０ａを両面に形成した室内面構成部材４０を隔壁５２の両面に配置し、隔壁５２の両面の室内面構成部材４０が遠赤外線共鳴現象を起こすように構成することができる。このように構成すると、第１の部屋５０にのみ室内機３を設置するだけで、隣接する第２の部屋５１に関しても、第１の部屋５０との隔壁５２を通じて温調することができる。
【００４７】
以上、本発明の実施形態について説明したが、本発明は前述した実施形態に何ら限定されるものではなく、本発明の要旨を逸脱しない範囲においてその構成を変更し得ることは勿論である。
【符号の説明】
【００４８】
１：室内温調システム
２：温調装置
３：室内機
４：室外機
５：熱交換媒体
６：配管
７：コントローラ
１０：上部タンク
１１：下部タンク
１３：温調パイプ
１３ａ：温調面
１４：温調媒体
１５：側部フレーム
１６：立起壁
１７：排水通路
１８：熱交換フィン
２０：ヒートパイプ
２１：作動液
２２：外パイプ
２３：内パイプ
２４：下部パイプ
２５：上部パイプ
２６：連通パイプ
３０：送風手段
３１：後部カバー
３２：送風機
３５：熱源手段
４０：室内面構成部材
４０ａ：放射吸収面
４１：内装建材
４２：被覆建材
４３：パネル材
４３ａ：酸化被膜
４４：パネル材
４５：機能層
４６：機能層
５０：第１の部屋
５１：第２の部屋
５２：隔壁
【図１】
2015094498.tif 000003
【図２】
2015094498.tif 000004
【図３】
2015094498.tif 000005
【図４】
2015094498.tif 000006
【図５】
2015094498.tif 000007
【図６】
2015094498.tif 000008
【図７】
2015094498.tif 000009
【図８】
2015094498.tif 000010
【図９】
2015094498.tif 000011
【図１０】
2015094498.tif 000012